(57)【要約】増強型アップリンク非同期ハイブリッド自動再送要求の再送制御方法であって、（１）ネットワーク側により、クライアント端末の各専用媒体アクセス制御エンティティフローのハイブリッド自動再送要求属性に再送タイマーパラメーターを追加し、クライアント端末により、該再送タイマーパラメーターに基づき、増強型媒体アクセス制御エンティティプロトコールデータの再送タイマー値を設置するステップと、（２）クライアント端末により、該当再送タイマー値を利用して最大再送回数を合わせることによって再送制御を行うステップを備える再送制御方法である。本発明によれば、無線積載のＱｏＳ時間遅延要求と送受信両端の連携動作が実現できる。【選択図】なし
2010502053.tif 000002
【特許請求の範囲】
【請求項１】
増強型アップリンク非同期ハイブリッド自動再送要求の再送制御方法であって、
（１）ネットワーク側は、クライアント端末の各専用媒体アクセス制御エンティティフローのハイブリッド自動再送要求属性に、再送タイマーパラメーターを増加し、クライアント端末は、増強型媒体アクセス制御エンティティプロトコールデータユニットに多重化された各専用媒体アクセス制御エンティティフローの再送タイマーパラメーターに基づき、増強型媒体アクセス制御エンティティプロトコールデータユニットの再送タイマー値を設置し、
（２）クライアント端末は、増強型媒体アクセス制御エンティティプロトコールデータユニットの再送タイマー値と最大再送回数を利用して再送制御を行うステップを含むことを特徴とする増強型アップリンク非同期ハイブリッド自動再送要求の再送制御方法。
【請求項２】
増強型アップリンク非同期ハイブリッド自動再送要求の再送制御方法であって、
前記のステップ（１）は具体的に、
（１１）ネットワーク側は、クライアント端末に対して増強型アップリンク無線積載を配置する際に、各専用媒体アクセス制御エンティティフローのハイブリッド自動再送要求サービス属性において、再送タイマーパラメーターを増加し、
（１２）クライアント端末は、増強型媒体アクセス制御エンティティプロトコールデータユニットのハイブリッド自動再送要求サービス属性を設置する時に、該当増強型媒体アクセス制御エンティティプロトコールデータユニットの再送タイマー値として、該当増強型媒体アクセス制御エンティティプロトコールデータユニットに多重化された各専用媒体アクセス制御エンティティフローの再送タイマーパラメーターのうちの最大の１つの値を取ることであることを特徴とする請求項１に記載の増強型アップリンク非同期ハイブリッド自動再送要求の再送制御方法。
【請求項３】
増強型アップリンク非同期ハイブリッド自動再送要求の再送制御方法であって、
前記のステップ（２）は具体的に、
（２１）クライアント端末は新たなデータを送信し、
（２２）クライアント端末は、相応的な上がり方向増強型ハイブリッド自動再送要求指示チャンネルにおいて指示情報を受信し、該当指示情報が非確認情報の場合は、前記のデータが初めて送信する後に非確認情報を受信すると、該当増強型媒体アクセス制御エンティティプロトコールデータユニットの再送タイマーを起動させ、ステップ（２３）を行い、該当指示情報が確認指示であれば、プロセスが終止し、
（２３）クライアント端末は、この時点の再送回数が該当パケットの最大再送回数より小さいか否かを判断し、小さい場合はステップ（２４）を行い、この時点の再送回数が該当パケットの最大再送回数と同じ、あるいは以上であれば、プロセスが終止し、
（２４）増強型媒体アクセス制御エンティティプロトコールデータユニットは、再送タイマーがタイムオーバーする前に、クライアント端末により該当データの再送を許可し、再送タイマーがタイムオーバーした後に、クライアント端末により該当データを廃棄することを特徴とする請求項２に記載の増強型アップリンク非同期ハイブリッド自動再送要求の再送制御方法。
【請求項４】
増強型アップリンク非同期ハイブリッド自動再送要求の再送制御方法であって、
前記のステップ（２４）は具体的に、
（２４１）クライアント端末が再送リソースを獲得した後に、再送タイマーがタイムオーバーしていない場合は、クライアント端末は該当データを再送して再送回数に１を加算し、ステップ（２２）に戻って実行し、再送タイマーがタイムオーバーする場合は、クライアント端末は該当データを廃棄し、プロセスが終止することを特徴とする請求項３に記載の増強型アップリンク非同期ハイブリッド自動再送要求の再送制御方法。
【請求項５】
増強型アップリンク非同期ハイブリッド自動再送要求の再送制御方法であって、
前記のステップ（２２）はさらに、
クライアント端末が該当データを再送した後に非確認の指示情報を再び受信すると、この時点の再送回数が最大再送回数未満の場合、再送リソースを待ち続け、再送タイマーをそのまま維持することを特徴とする請求項４に記載の増強型アップリンク非同期ハイブリッド自動再送要求の再送制御方法。
【請求項６】
増強型アップリンク非同期ハイブリッド自動再送要求の再送制御方法であって、
前記のステップ（１１）において、
ネットワーク側がクライアント端末に対して増強型アップリンク無線積載を配置する際に、各専用媒体アクセス制御エンティティフローのハイブリッド自動再送要求サービス属性に再送タイマーパラメーターを増加するステップにおいて、再送タイマーパラメーターを配置する時に、配置された再送タイマーパラメーターとネットワーク側の再オーダリング隊列のタイマーとがマッチングすることを特徴とする請求項２に記載の増強型アップリンク非同期ハイブリッド自動再送要求の再送制御方法。
【請求項７】
増強型アップリンク非同期ハイブリッド自動再送要求の再送制御方法であって、
前記のステップ（１１）において、
ネットワーク側がクライアント端末に対して増強型アップリンク無線積載を配置する際に、各専用媒体アクセス制御エンティティフローのハイブリッド自動再送要求サービス属性に再送タイマーパラメーターを増加するステップにおいて、高速上がり方向パケットアクセスシステムにウィンドーメカニズムを利用すると、配置された再送タイマーパラメーターとクライアントディバイスに配置された送信ウィンドーパラメーターとがマッチングすることを特徴とする請求項２に記載の増強型アップリンク非同期ハイブリッド自動再送要求の再送制御方法。
【請求項８】
増強型アップリンク非同期ハイブリッド自動再送要求の再送制御方法であって、
前記のステップ（１２）はさらに、
クライアント端末は、増強型媒体アクセス制御エンティティプロトコールデータユニットのハイブリッド自動再送要求サービス属性を設置する時に、該当増強型媒体アクセス制御エンティティプロトコールデータユニットの最大再送回数として、該当増強型媒体アクセス制御エンティティプロトコールデータユニットに多重化された各専用媒体アクセス制御エンティティフローの最大再送回数のうちの最大の１つの値を取るステップを含むことを特徴とする請求項２に記載の増強型アップリンク非同期ハイブリッド自動再送要求の再送制御方法。
【請求項９】
増強型アップリンク非同期ハイブリッド自動再送要求の再送制御方法であって、
前記のステップ（１１）はさらに、
前記のネットワーク側の上位層がクライアント端末に増強型アップリンク無線積載を配置する際に、媒体アクセス制御エンティティフローの多重化リストを配置する時に、サービス品質ＱｏＳ属性が相似な１つのパケットを制御エンティティフローのＭＡＣ−ｄフローにアクセスすることによって多重化を行うステップを含むことを特徴とする請求項２に記載の増強型アップリンク非同期ハイブリッド自動再送要求の再送制御方法。
【発明の詳細な説明】
【技術分野】
【０００１】
本発明は、時分割同期符号分割多重接続（ＴＤ−ＳＣＤＭＡ）システムにおける非同期ハイブリッド自動再送要求の再送制御方法に関し、特に時分割同期符号分割多重接続（ＴＤ−ＳＣＤＭＡ）システムにおける増強型アップリンク非同期ＨＡＲＱ（ハイブリッド自動再送要求）再送制御の方法に関する。
【背景技術】
【０００２】
２００６年３月に、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ、第３代移動体通信システムの標準化プロジェクト）はロー・チップＴＤ―ＳＣＤＭＡ（時分割同期符号分割多重接続）システム増強型アップリンクのプロジェクト設立申請を採択した。増強型アップリンクは一般的にＨＳＵＰＡ（Ｈｉｇｈ  Ｓｐｅｅｄ  Ｕｐｌｉｎｋ  Ｐａｃｋｅｔ  Ａｃｃｅｓｓ、高速アップリンクパケットアクセス）といい、その旨は、先進の技術を通じてアップリンクの効率を向上させ、例えばｗｅｂブラウザ、ビデオ、マルチメディア情報及びＩＰによる他のサービスを有効にサポートすることである。
【０００３】
現在、３ＧＰＰのＴＤ―ＳＣＤＭＡは、完全な技術レポートがまだ形成されていないが、基本的な技術体系が明らかになり、ＴＤ―ＣＤＭＡ（時分割符号分割多重接続）システムとは基本的に一致である。３ＧＰＰの５月上海会議の提案と会議レポートが参考にされるが、本発明に関する技術体系は以下のように記載する。
【０００４】
ＨＳＵＰＡにおいて、伝送チャンネルＥ−ＤＣＨ（増強型アップリンク専用伝送チャンネル）が１つ新たに追加される。増強型上がり方向データは該当伝送チャンネルに積載され、Ｅ−ＤＣＨのＴＴＩ（伝送時間間隔）が５ｍｓである。
【０００５】
新たに追加された物理チャンネルは、Ｎｏｄｅ  Ｂ（ノードＢ）により許可情報を伝送するための制御チャンネルであるＥ−ＡＧＣＨチャンネル（上がり方向増強型絶対許可チャンネル）と、ＵＥ（Ｕｓｅｒ  Ｅｑｕｉｐｍｅｎｔ、クライアント端末）によりＥ−ＤＣＨ型の符号化組合伝送チャンネルを積載するためのサービスチャンネルであり、補助スケジューリングに関する情報も該当チャンネルに伝送されるＥ−ＰＵＣＨチャンネル（上がり方向増強型物理チャンネル）と、許可がない場合、ＵＥが補助スケジューリングに関する情報を伝送するための物理層制御チャンネルであり、ランダムアクセス物理チャンネルリソースを利用するＥ−ＲＵＣＣＨチャンネル（上がり方向増強型ランダムアクセス制御チャンネル）と、Ｎｏｄｅ  ＢよりＨＡＲＱ指示情報を伝送するための制御チャンネルであるＥ−ＨＩＣＨチャンネル（上がり方向増強型ハイブリッド自動再送要求指示チャンネル）、などのチャンネルが含まれている。
【０００６】
ＨＳＵＰサービスはスケジューリング方式によってスケジューリングサービスと非スケジューリングサービスに分ける。そのなか、非スケジューリングサービスのリソースは、ＳＲＮＣ（サービング無線ネットワークコントローラ）によりＵＥに割り当て、割当方式が従来の専用チャンネル割当方式と同じである。スケジューリングサービスはＮｏｄｅ  Ｂのスケジューリングに基づき、Ｎｏｄｅ  ＢはＥ−ＡＧＣＨャンネルを通じてＵＥに絶対授権情報を送信し、そのなかには、パワー許可情報と物理チャンネル割当情報を含む。しかし、許可情報はＴＴＩ（伝送時間間隔）毎にＵＥへ送信することではなく、完全に、Ｎｏｄｅ  Ｂのスケジューリング機能エンティティがネットワークの状況とＵＥのＱｏＳ（Ｑｕａｌｉｔｙ  ｏｆ  Ｓｅｒｖｉｃｅ、サービスのクオリティー）パラメーターによって、送信するか否か及びいつ送信するかを決定する。ＵＥは１つのパケットのＥ−ＡＧＣＨチャンネルを傍受し、デコーディングを完成したとたんに許可情報を読み取って、プロトコールに規定された時間の後に、許可されたＥ−ＰＵＣＨチャンネル（増強型上がり方向物理チャンネル）によってデータを送信する。
【０００７】
増強型アップリンクで使っているもう一つ重要な技術は、エラーデータパケットの高速再送を実現する並行ウェートＨＡＲＱ技術である。ＨＡＲＱ機能を処理するエンティティは、ＵＥ側のＭＡＣ−ｅｓ／ｅエンティティ（増強型媒体アクセス制御サブエンティティ／増強型媒体アクセス制御エンティティ）と、Ｎｏｄｅ  Ｂ中のＭＡＣ−ｅ（増強型媒体アクセス制御エンティティ）エンティティの中に位置する。１つのＨＡＲＱエンティティは多数のウェートＨＡＲＱプロトコール実例をサポートし、各実例が１つのＨＡＲＱプロセスという。現在は１つのＨＡＲＱエンティティに並行されるプロセス数がまだ確定していないが、少なくとも４つのプロセスがある。１つのＨＡＲＱプロセスは１つの物理層バッファ領域と関連付けられる。該当バッファ領域は、送信端において、再送するためにデータをキャッシュする。受信端において、ソフト組合とデコーディングを行う。ＵＥ側のＨＡＲＱエンティティはＭＡＣ−ｅ  ＰＤＵ（プロトコールデータユニット）のメモリーと再送を分担し、ＮｏｄｅＢ側のＨＡＲＱエンティティは単独のＭＡＣ−ｅ  ＰＤＵに対してＡＣＫ（確認）或いはＮＡＣＫ（非確認）を指示し、Ｅ−ＨＩＣＨチャンネルにおいて指示をＵＥへ送信する。
【０００８】
ＴＤ−ＳＣＤＭＡ上がり方向増強化技術では、一つＵＥに属する、同じＱｏＳ属性を持つ１つのパケットのロジックチャンネルが、同じＭＡＣ−ｄ（専用媒体アクセス制御）フローにマッピングされる。１つのＵＥは最大１６本のロジックチャンネルと８つのＭＡＣ−ｄフローをサポートし、上位層は、１つのＭＡＣ−ｅＰＤＵに複数のＭＡＣ−ｄフローを多重化することを許可し、各ＭＡＣ−ｄフローに対してＭＡＣ−ｄフロー多重化テーブルを配置し、多重化テーブルにおけるＭＡＣ−ｄフローのＱｏＳは該当ＭＡＣ−ｄフローと近似する。ＭＡＣ−ｅ  ＰＤＵを組み立てる時に、ロジックチャンネルの優先度に応じてデータの多重化を行うと共に、上位層が配置した最高優先度のロジックチャンネルが位置するＭＡＣ−ｄフローの多重化テーブルを考慮する必要もある。上位層はＭＡＣ−ｄフロー毎に最大再送回数（最大送信回数であってもよく、この場合は、最大再送回数は最大送信回数から１を引くものとする）とパワーオフセットを含む１つのＨＡＲＱ  Ｐｒｏｆｉｌｅ（サービス属性）を設置し、各ＭＡＣ−ｄフローのＱｏＳ属性を現す。
【０００９】
１つのＭＡＣ−ｅ  ＰＤＵのＨＡＲＱ  Ｐｒｏｆｉｌｅにおける最大再送回数は以下のルールに従って産生するものである。
【００１０】
最大再送回数は該当ＭＡＣ−ｅ  ＰＤＵに多重化された全てのＭＡＣ−ｄフローの最大再送回数の最大値である。
【００１１】
最大再送回数はＭＡＣ−ｅ  ＰＤＵの時間遅延要求と残留ビット率要求を反映する。１つの新たな伝送が開始する時に、ＨＡＲＱ実体はＨＡＲＱプロセスにＭＡＣ−ｅ  ＰＤＵとそのＨＡＲＱ  Ｐｒｏｆｉｌｅを提供する。そのなかの最大再送回数は、ＨＡＲＱプロセスにおいて該当ＰＤＵ再送が最大再送回数を超える時に再送を放棄するために用いられるものである。
【００１２】
図１はＵＥ側のＭＡＣ―ｅｓ／ｅエンティティである。なお、Ｅ−ＴＦＣ（増強型伝送フォーマットコンビネーション）選択エンティティは、許可情報に応じて、新たなデータのために伝送ブロック長さを選択する。多重化とＴＳＮ（シリアルナンバーを送信）設置エンティティは、Ｅ−ＴＦＣ選択実体の選択結果に応じて、１つのロジックチャンネルからの複数のＭＡＣ−ｄＰＤＵをＭＡＣ―ｅｓ（増強型媒体アクセス制御サブエンティティ）ＰＤＵに入れることが分担し、１つまたは複数のＭＡＣ―ｅｓ  ＰＤＵを１つのＭＡＣ―ｅＰＤＵに多重化させ、ＨＡＲＱ  Ｐｒｏｆｉｌｅを産生する。スケジューリングアクセスエンティティは、スケジューリングに関するシグナリングメッセージの獲得及び整理を行う。ＨＡＲＱエンティティは、ＭＡＣ−ｅ  ＰＤＵへのメモリーと再送を含むＨＡＲＱプロトコールに関する処理を行う。
【００１３】
データ送信フローは、図２に示すように、許可を受信した後、再送を優先に考慮し、適切な再送パケットを選択し、相応的なＨＡＲＱプロセスへ再送を行うよう通知する。ＨＡＲＱプロセスの再送処理は、物理層に再送シリアルナンバーとパワーオフセットなどの情報を提供し、再送を行い、再送カウンターに対して自動的に１を加算する。該当ＭＡＣ―ｅ  ＰＤＵの最大再送回数を超えると、該当パケットを廃棄し、該当ＨＡＲＱプロセスをクリアし、その後は該当パケットの再送を行わない。許可を受信した後に、再送パケットがない又は該当許可リソースがこの時点の再送パケットに適切ではない場合、Ｅ−ＴＦＣ選択実体へ伝送フォーマットの選択を通知する。多重化とＴＳＮ設置実体は、ＭＡＣ―ｅＰＤＵを組み立て、ＨＡＲＱ  Ｐｒｏｆｉｌｅを産生する。ＨＡＲＱ実体は、暇なプロセスを選択して新たなデータ伝送を行う。ＨＡＲＱプロセスの処理は、物理層に伝送フォーマットと、再送シリアルナンバーと、プロセス番号と、パワーオフセットなどの情報を提供し、再送カウンターを０に戻す。
【００１４】
Ｎｏｄｅ  Ｂは、増強型アップリンクを利用するＵＥ毎に、１つのＭＡＣ―ｅエンティティを作る。また、Ｎｏｄｅ  Ｂは、ＵＥに対してスケジューリング制御を行い、単独のＭＡＣ―ｅ  ＰＤＵに対してＡＣＫとＮＡＣＫ指示を産生し、ＭＡＣ―ｅ  ＰＤＵを逆多重化してＭＡＣ―ｅｓ  ＰＤＵにする１つのスケジューラを有する。ＳＲＮＣ（サービング無線ネットワークコントローラ）において、増強型アップリンクを利用するＵＥ毎に、１つのＭＡＣ―ｅｓエンティティをつくって、ＭＡＣ―ｅｓ  ＰＤＵに対して再オーダリング、及び逆多重化を行う。そのなか、再オーダリングと従来のＨＳＤＰＡにおける再オーダリングメカニズムと似ている。
【００１５】
ＴＤ−ＳＣＤＭＡ増強型アップリンクにおけるスケジューリングサービスは、同期確認と非同期再送のＨＡＲＱメカニズムを採用している。スケジューリングサービスを例として、そのタイミング関係は図３に示すように、ＵＥはＥ−ＡＧＣＨ許可情報を受信した後、タイミング時間Ｔ１の後に、Ｅ−ＰＵＣＨチャンネルにおいてデータを送信し、データを送信した後、タイミング時間Ｔ２の後に、Ｎｏｄｅ  ＢがＥ−ＨＩＣＨチャンネルにおいて送ってきたＨＡＲＱ指示を受信する。受信したＨＡＲＱ指示がＮＡＣＫの場合、ＵＥは絶対許可が来るまで待機し、その後はデータを再送し、待ち時間がＴ３である。受信したＨＡＲＱ指示がＡＣＫの場合、ＵＥはそのデータブロックを廃棄し、関連のＨＡＲＱプロセスをクリアし、次の許可を待って新たなデータの伝送を行う。そのなか、Ｔ１とＴ２は明確なタイミング関係を有し、Ｔ３はＮｏｄｅ  Ｂのスケジューリングに基づいた可変量である。
【００１６】
現在採用されているＨＡＲＱ非同期再送メカニズムでは、ＭＡＣ―ｅ  ＰＤＵの再送時間が確保できず、再送回数の設置のみの依頼は、無線積載にＱｏＳにおける時間遅延要求を満たすことが確保できず、且つ、上位層ＲＬＣ（無線リンク制御）層に確認モードを利用する伝送メカニズムにおいても、ＵＥのＭＡＣ層に無期限に再送リソースを待つことが受け入れない。
【００１７】
また、ネットワーク側のＭＡＣ―ｅｓエンティティが再オーダリングを行う時に、再オーダリングバッファー領域の詰め込みと番号の混乱を防ぐため、タイマーメカニズムとウィンドーメカニズムを採用することが多い。タイマーメカニズムは、非シーケンス伝送において、過長な時間がかかってロー番号パケットを待つことを防ぐために設置されたものである。ウィンドーメカニズムは、番号の混乱を防ぐものである。これは、パケットの番号容量が限られており、再送メカニズムのあるシステムにおいて、新旧パケットの番号が重なり、受信端の番号混乱が生じやすいからである。現在、３ＧＰＰ組織は、その部分に対して標準化を行わず、ＳＲＮＣ内部処理メカニズムに属することを明らかにしたが、このメカニズムではＵＥ側の協力が必要であり、その目的は無意味の再送を行わないことである。例えば、ＵＥ側の協力がないと、ネットワーク側の再オーダリングタイマーが既にタイムオーバーしても、ＵＥ側に最大再送回数を超えていない場合がある。この時、ＵＥ側から送信した再送データは、ネットワーク側になんらの処理も得ずに、無意味な再送になる。
【発明の概要】
【発明が解決しようとする課題】
【００１８】
本発明は、上記の問題点に鑑み、ＭＡＣ層再送時間遅延と送受信両端再送状態の一致を確保するために、ＨＡＲＱ再送制御を行う増強型アップリンク非同期ハイブリッド自動再送要求の再送制御方法を提供する。
【課題を解決するための手段】
【００１９】
請求項１記載の発明は、増強型アップリンク非同期ハイブリッド自動再送要求の再送制御方法であって、
（１）ネットワーク側は、クライアント端末の各専用媒体アクセス制御エンティティフローのハイブリッド自動再送要求属性に、再送タイマーパラメーターを増加し、クライアント端末は、増強型媒体アクセス制御エンティティプロトコールデータユニットに多重化された各専用媒体アクセス制御エンティティフローの再送タイマーパラメーターに基づき、増強型媒体アクセス制御エンティティプロトコールデータユニットの再送タイマー値を設置し、
（２）クライアント端末は、増強型媒体アクセス制御エンティティプロトコールデータユニットの再送タイマー値と最大再送回数を利用して再送制御を行うステップを含むことを特徴とする増強型アップリンク非同期ハイブリッド自動再送要求の再送制御方法である。
【００２０】
請求項２記載の発明は、増強型アップリンク非同期ハイブリッド自動再送要求の再送制御方法であって、
前記のステップ（１）は具体的に、
（１１）ネットワーク側は、クライアント端末に対して増強型アップリンク無線積載を配置する際に、各専用媒体アクセス制御エンティティフローのハイブリッド自動再送要求サービス属性において、再送タイマーパラメーターを増加し、
（１２）クライアント端末は、増強型媒体アクセス制御エンティティプロトコールデータユニットのハイブリッド自動再送要求サービス属性を設置する時に、該当増強型媒体アクセス制御エンティティプロトコールデータユニットの再送タイマー値として、該当増強型媒体アクセス制御エンティティプロトコールデータユニットに多重化された各専用媒体アクセス制御エンティティフローの再送タイマーパラメーターのうちの最大の１つの値を取ることであることを特徴とする請求項１に記載の増強型アップリンク非同期ハイブリッド自動再送要求の再送制御方法である。
【００２１】
請求項３記載の発明は、増強型アップリンク非同期ハイブリッド自動再送要求の再送制御方法であって、
前記のステップ（２）は具体的に、
（２１）クライアント端末は新たなデータを送信し、
（２２）クライアント端末は、相応的な上がり方向増強型ハイブリッド自動再送要求指示チャンネルにおいて指示情報を受信し、該当指示情報が非確認情報の場合は、前記のデータが初めて送信する後に非確認情報を受信すると、該当増強型媒体アクセス制御エンティティプロトコールデータユニットの再送タイマーを起動させ、ステップ（２３）を行い、該当指示情報が確認指示であれば、プロセスが終止し、
（２３）クライアント端末は、この時点の再送回数が該当パケットの最大再送回数より小さいか否かを判断し、小さい場合はステップ（２４）を行い、この時点の再送回数が該当パケットの最大再送回数と同じ、あるいは以上であれば、プロセスが終止し、
（２４）増強型媒体アクセス制御エンティティプロトコールデータユニットは、再送タイマーがタイムオーバーする前に、クライアント端末により該当データの再送を許可し、再送タイマーがタイムオーバーした後に、クライアント端末により該当データを廃棄することを特徴とする請求項2に記載の増強型アップリンク非同期ハイブリッド自動再送要求の再送制御方法である。
【００２２】
請求項４記載の発明は、増強型アップリンク非同期ハイブリッド自動再送要求の再送制御方法であって、
前記のステップ（２４）は具体的に、
（２４１）クライアント端末が再送リソースを獲得した後に、再送タイマーがタイムオーバーしていない場合は、クライアント端末は該当データを再送して再送回数に１を加算し、ステップ（２２）に戻って実行し、再送タイマーがタイムオーバーする場合は、クライアント端末は該当データを廃棄し、プロセスが終止することを特徴とする請求項3に記載の増強型アップリンク非同期ハイブリッド自動再送要求の再送制御方法である。
【００２３】
請求項５記載の発明は、増強型アップリンク非同期ハイブリッド自動再送要求の再送制御方法であって、
前記のステップ（２２）はさらに、
クライアント端末が該当データを再送した後に非確認の指示情報を再び受信すると、この時点の再送回数が最大再送回数未満の場合、再送リソースを待ち続け、再送タイマーをそのまま維持することを特徴とする請求項4に記載の増強型アップリンク非同期ハイブリッド自動再送要求の再送制御方法である。
【００２４】
請求項６記載の発明は、増強型アップリンク非同期ハイブリッド自動再送要求の再送制御方法であって、
前記のステップ（１１）において、
ネットワーク側がクライアント端末に対して増強型アップリンク無線積載を配置する際に、各専用媒体アクセス制御エンティティフローのハイブリッド自動再送要求サービス属性に再送タイマーパラメーターを増加するステップにおいて、再送タイマーパラメーターを配置する時に、配置された再送タイマーパラメーターとネットワーク側の再オーダリング隊列のタイマーとがマッチングすることを特徴とする請求項２に記載の増強型アップリンク非同期ハイブリッド自動再送要求の再送制御方法である。
【００２５】
請求項７記載の発明は、増強型アップリンク非同期ハイブリッド自動再送要求の再送制御方法であって、
前記のステップ（１１）において、
ネットワーク側がクライアント端末に対して増強型アップリンク無線積載を配置する際に、各専用媒体アクセス制御エンティティフローのハイブリッド自動再送要求サービス属性に再送タイマーパラメーターを増加するステップにおいて、高速上がり方向パケットアクセスシステムにウィンドーメカニズムを利用すると、配置された再送タイマーパラメーターとクライアントディバイスに配置された送信ウィンドーパラメーターとがマッチングすることを特徴とする請求項2に記載の増強型アップリンク非同期ハイブリッド自動再送要求の再送制御方法である。
【００２６】
請求項８記載の発明は、増強型アップリンク非同期ハイブリッド自動再送要求の再送制御方法であって、
前記のステップ（１２）はさらに、
クライアント端末は、増強型媒体アクセス制御エンティティプロトコールデータユニットのハイブリッド自動再送要求サービス属性を設置する時に、該当増強型媒体アクセス制御エンティティプロトコールデータユニットの最大再送回数として、該当増強型媒体アクセス制御エンティティプロトコールデータユニットに多重化された各専用媒体アクセス制御エンティティフローの最大再送回数のうちの最大の１つの値を取るステップを含むことを特徴とする請求項２に記載の増強型アップリンク非同期ハイブリッド自動再送要求の再送制御方法である。
【００２７】
請求項９記載の発明は、増強型アップリンク非同期ハイブリッド自動再送要求の再送制御方法であって、
前記のステップ（１１）はさらに、
前記のネットワーク側の上位層がクライアント端末に増強型アップリンク無線積載を配置する際に、媒体アクセス制御エンティティフローの多重化リストを配置する時に、サービス品質ＱｏＳ属性が相似な１つのパケットを制御エンティティフローのＭＡＣ−ｄフローにアクセスすることによって多重化を行うステップを含むことを特徴とする請求項２に記載の増強型アップリンク非同期ハイブリッド自動再送要求の再送制御方法である。
【発明の効果】
【００２８】
本発明の増強型アップリンク非同期ハイブリッド自動再送要求の再送制御方法において、ネットワーク側は、クライアント端末の各専用媒体アクセス制御エンティティフロー（ＭＡＣ−ｄフロー）の属性に再送タイマーパラメーターを新たに増加し、クライアント端末は、各専用媒体アクセス制御エンティティフローの再送タイマーパラメーターに基づき、増強型媒体アクセス制御エンティティプロトコールデータユニット（ＭＡＣ−ｅ  ＰＤＵ）の再送タイマーを設置し、増強型媒体アクセス制御プロトコールデータユニットの再送タイマーと最大再送回数に合わせて再送制御を行い、無線積載ＱｏＳにおける再送時間遅延要求を実現すると共に、ネットワーク側とクライアント端末との連携を実現し、クライアント端末の無意味の再送を防いだ。本発明は、ＴＤ−ＣＡＭＡシステムとＴＤ−ＳＣＤＭＡシステムにおいても適用できる。
【図面の簡単な説明】
【００２９】
【図１】クライアントディバイスＵＥ側のＭＡＣ−ｅｓ／ｅエンティティの構成図
【図２】従来の技術案におけるデータ送信のフローチャート
【図３】同期確認と非同期再送のメカニズムにおけるＨＡＲＱのタイムシーケンス図
【図４】本発明の増強型アップリンク非同期ハイブリッド自動再送要求の再送制御方法において再送タイマー新たに増加した後の、ＨＡＲＱデータ送信のフローチャート
【発明を実施するための形態】
【００３０】
本発明の増強型アップリンク非同期ハイブリッド自動再送要求の再送制御方法は、クライアントディバイスＵＥの各ＭＡＣ−ｄフローのために再送タイマーの配置パラメーターを増加することを通じて、最大再送回数と共に、非同期ＨＡＲＱ再送メカニズムにおける無線積載の時間遅延要求と残留ビット率要求を確保する。以下は、ＴＤ−ＳＣＤＭＡシステムにおけるＨＳＵＰＡ技術を例として説明する。
【００３１】
ステップ１：ネットワーク側がＵＥに対してＥ−ＤＣＨ型の無線積載を配置する時に、再送回数の配置を合わせ、該当ＭＡＣ−ｄフローの時間遅延要求と残留ビット率要求を纏めて考慮すると共に、ネットワーク側の再オーダリング隊列のタイマーの設置状況を考慮し、各ＭＡＣ−ｄフローのＨＡＲＱ  Ｐｒｏｆｉｌｅにおいて配置パラメーターを追加する。再送タイマーＴ＿Ｒｅｔｒａｎｓは各ＭＡＣ−ｄフローの最大再送時間の制御に利用される。
【００３２】
ＨＳＵＰＡにおいて、１つのＭＡＣ−ｄフローにマッピングしたロジックチャンネルのＱｏＳ属性が同じである、本発明はＭＡＣ−ｄフローを単位に再送タイマーを設置する。
上位層は“Ｔ＿Ｒｅｔｒａｎｓ”を配置する時に、送受信両端の動作の不一致を防ぐために、ネットワーク側の再オーダリング隊列のタイマーと対応付けるべきである。ウィンドーメカニズムもＨＳＵＰＡシステムに利用され、上位層はＵＥに対して送信ウィンドーパラメーターを配置する時に、送信端の効率的な動作を実現するために、“Ｔ＿Ｒｅｔｒａｎｓ”パラメーター と対応付けるべきである。
【００３３】
表１はＭＡＣ−ｄフローの一部の配置パラメーター情報要素であり、元のパワーオフセットと最大再送回数とを除いて、“Ｔ＿Ｒｅｔｒａｎｓ”要素を新たに増加する。その使用方法として、ＵＥは許可されたＥ−ＰＵＣＨにおいて、新たなデータを送信した後に、その次のＥ−ＨＩＣＨにＮＡＣＫ指示を受けると、該当タイマーを起動させ、タイムオーバーした後に該当パケットを廃棄する。テーブルにおける“存在”というコラムに、ＭＰは該当要素が必要であることを示し、ＯＰは該当要素がオプションであることを示す。
【００３４】
【表１】
2010502053.tif 000003
【００３５】
ステップ２：ＵＥはＭＡＣ−ｅ  ＰＤＵのＨＡＲＱ  Ｐｒｏｆｉｌｅを設置する時に、その再送タイマーはＭＡＣ−ｅ  ＰＤＵに多重化された各ＭＡＣ−ｄフローの再送タイマーのうちの最大の１つの値である。
【００３６】
ＵＥはＮｏｄｅ  Ｂの許可を受信した後に、ロジックチャンネルの優先度ルールに基づき、まずは優先度が一番高いロジックチャンネルにおけるデータを考慮し、次は該当ロジックチャンネルの位置するＭＡＣ−ｄフローの多重化リストを考慮する。これにより、最後に得られるＭＡＣ−ｅ  ＰＤＵに複数のＭＡＣ−ｄフローが含まれる可能性がある。該当ＭＡＣ−ｅ  ＰＤＵの最大再送回数は、これらの多重化されたＭＡＣ−ｄフローのＨＡＲＱ  Ｐｒｏｆｉｌｅのうちに選択された最大の１つであり、再送タイマーも最大の１つの値を選択する。上位層はＭＡＣ−ｄフローの多重化リストを配置する時に、ＱｏＳ属性が相似な１つのパケットのＭＡＣ−ｄフローを多重化することを考えるべきである。
【００３７】
ステップ３：ＵＥは新たなデータを送信した後に、相応なＥ−ＨＩＣＨにおいてＮＡＣＫを受信すると、該当ＭＡＣ−ｅ  ＰＤＵの再送タイマーを起動させ、再送回数が最大再送回数未満であり、且つ再送タイマーがタイムオーバーする前に、再送を許可する。最大再送回数であり、或いは再送タイマーがタイムオーバーした後に、該当パケットを廃棄する。
【００３８】
ＵＥは新たなデータを送信した後に、ＮＡＣＫを受信すると、該当ＰＤＵが再送される必要があることを示す。ここで、この時点の再送回数が該当パケットの最大再送回数に達するか否かを判断し、既に達した場合（この場合パケットの最大再送回数が０になる）、再送を行わず、該当ＨＡＲＱプロセスをリセットし、そのＨＡＲＱプロセスが他の新たなデータに対してサービスする。最大再送回数に達していない場合、再送タイマーを起動させる。この時、再送に適切な許可リソースがない場合、該当再送パケットがＨＡＲＱバッファに保存されたまま、許可を待つ。適切な許可リソースを受信した後に、該当パケットに対して再送を行い、再送タイマーは自動的に１を加算する。
【００３９】
再送した後に再びＮＡＣＫを受信すると、この時点の再送回数が最大再送回数に達していない場合、再送リソースを待ち続け、元の再送タイマーを維持する。
【００４０】
ＵＥは増強型上がり方向サービスを処理するプロセスにおいて、上位層からの無線積載再配置コマンドを受信し、且つ再配置コマンドに“Ｔ＿Ｒｅｔｒａｎｓ”要素が含まれると、ＵＥは、該当メッセージに指定されたアクティベーション時間の後に新たな配置パラメーターを起用し、アクティベーション時間が到着する時に、動作している再送タイマーを変えることなく、その後、再送タイマーを起動させる時だけ新たな配置情報を利用する。
【００４１】
図４は本発明の方法を追加した後に１つのＨＡＲＱプロセスの完全な動作フローチャートであり、以下は図４と合わせて本発明の一の具体的な実施形態を説明する。
【００４２】
（４０１）ＨＡＲＱプロセスは、ＨＡＲＱエンティティから新たなＭＡＣ−ｅ  ＰＤＵ及びそのＨＡＲＱサービス属性を受信する。そのなかに、該当ＭＡＣ−ｅ  ＰＤＵの最大再送回数と、パワーオフセットと、該当ＭＡＣ−ｅ  ＰＤＵに多重化された各ＭＡＣ−ｄフローの再送タイマーの最大値である再送タイマーとを含む。
【００４３】
（４０２）ＨＡＲＱプロセスは、物理層に対して、新たなデータの送信を要求し、必要な物理層パラメーターを提供すると共に、再送タイマーＴ＿Ｒｅｔｒａｎｓと再送カウンターＮ＿Ｒｅｔｒａｎｓである自分の内部変数を初期化する。Ｔ＿Ｒｅｔｒａｎｓがリセット状態であり、Ｎ＿Ｒｅｔｒａｎｓが０に戻る。
【００４４】
（４０３）ＵＥはＥ−ＨＩＣＨチャンネルにおいてＮｏｄｅＢからのＨＡＲＱ指示を受信する。
【００４５】
（４０４）該当ＨＡＲＱ指示がＡＣＫであるか否かを判断し、ＨＡＲＱ指示がＡＣＫである場合、ステップ（４０５）を行う。ＨＡＲＱ指示がＮＡＣＫである場合、ステップ（４０６）を行う。
【００４６】
（４０５）データをクリアし、内部変数をクリアし、ＨＡＲＱプロセスをクリアする。該当ＨＡＲＱプロセスは新たなデータの伝送のために利用でき、プロセスが終了する。
【００４７】
（４０６）この時点の再送回数が該当パケットの最大再送回数より小さいか否かを判断し、小さい場合は、ステップ（４０７）を行う。この時点の再送回数が該当パケットの最大再送回数とおなじ、あるいは以上である場合、ステップ（４０５）を行う。
【００４８】
（４０７）該当パケットは再送を待ち、初めてＮＡＣＫ指示情報を受信したか否かを判断し、初めてＮＡＣＫ指示情報を受信する場合、ステップ（４０８）を行う。初めてＮＡＣＫ指示情報を受信することではない場合、ステップ（４０９）を行う。
【００４９】
（４０８）タイマーＴ＿Ｒｅｔｒａｎｓを起動させる。
【００５０】
（４０９）適切な再送リソースを獲得する。
【００５１】
（４１０）再送タイマーが既にタイムオーバーしたか否かを判断し、タイムオーバーした場合、再送を行わず、もどってステップ（４０５）を行う。タイムオーバーしていない場合、ステップ（４１１）を行う。
【００５２】
（４１１）該当パケットを再送し、再送カウンターＮ＿Ｒｅｔｒａｎｓが自動的に１を加算し、Ｅ−ＨＩＣＨの指示を待ち続け、ステップ（４０３）に戻る。
【００５３】
前記の実施形態では、パケットが既に廃棄された場合、後でＥ−ＨＩＣＨにおいて該当パケットに対する再送指示を受信しても、処理を行わない。
【００５４】
本発明の増強型アップリンク非同期ハイブリッド自動再送要求の再送制御方法において、ネットワーク側は、クライアント端末の専用媒体アクセス制御エンティティフローに再送タイマーパラメーターを新たに増加し、クライアント端末は、各専用媒体アクセス制御エンティティフローのタイマーパラメーターに基づき、増強型媒体アクセス制御エンティティプロトコールデータユニットの再送タイマーを設置する共に、最大再送回数と合わせて再送制御を行い、無線積載のＱｏＳにおける再送時間遅延要求を実現し、ネットワーク側とクライアント端末との連携も実現し、クライアント端末の無意味の再送を防いだ。ＨＳＵＰＡシステムにおいてもウィンドーメカニズムを利用する場合、再送タイマーとウィンドーメカニズムとがマッチングして利用され、ＨＡＲＱ非同期再送メカニズムでは効率的なパケット伝送を実現し、送受信両端の状態の一致を確保する。本発明は、ＴＤ−ＣＤＭＡシステムとＴＤ−ＳＣＤＭＡシステムにおいても適用できる。
【産業上の利用可能性】
【００５５】
本発明は、時分割同期符号分割多重接続ＴＤ−ＳＣＤＭＡシステムに適用すると共に、時分割符号分割多重接続ＴＤ−ＣＤＭＡシステムにも適用する。本発明の増強型アップリンク非同期ハイブリッド自動再送要求の再送制御方法は、ネットワーク側により、クライアント端末の専用媒体アクセス制御エンティティフローにおいて再送タイマーパラメーターを新たに増加し、クライアント端末により、各専用媒体アクセス制御エンティティフローのタイマーパラメーターに基づき、増強型媒体アクセス制御エンティティプロトコールデータユニットの再送タイマーを設置し、最大再送回数を合わせて再送制御を行い、無線積載のＱｏＳにおける再送時間遅延要求を実現すると共に、ネットワーク側とクライアント端末との連携を実現し、クライアント端末の無意味の再送を防いだ。
【図１】
2010502053.tif 000004
【図２】
2010502053.tif 000005
【図３】
2010502053.tif 000006
【図４】
2010502053.tif 000007
【国際調査報告】
2010502053.tif 000008
2010502053.tif 000009
2010502053.tif 000010
2010502053.tif 000011